(57)【要約】【課題】第一の携帯機器によって第二の携帯機器内の充電池を充電することができ、かつ、充電時に第一の携帯機器から第二の携帯機器にデータが転送されることをコントロールできる充電ケーブルを提供する。【解決手段】第一携帯機器用コネクタと、第二携帯機器用コネクタと、前記第一携帯機器用コネクタと前記第二携帯機器用コネクタとを繋ぎ、前記第一携帯機器用コネクタに接続される第一携帯機器から前記第二携帯機器用コネクタに接続される第二携帯機器へのデータ通信及び電気供給をするためのケーブルと、前記第一携帯機器用コネクタ、前記第二携帯機器用コネクタ及び前記ケーブルのうちのいずれかの部分に設けられ、前記第一携帯機器から前記第二携帯機器へのデータ通信をオン／オフするスイッチと、を具備すること、を特徴とする充電ケーブル。【選択図】図１
2016163479.tif 000002
【特許請求の範囲】
【請求項１】
第一携帯機器用コネクタと、
第二携帯機器用コネクタと、
前記第一携帯機器用コネクタと前記第二携帯機器用コネクタとを繋ぎ、前記第一携帯機器用コネクタに接続される第一携帯機器から前記第二携帯機器用コネクタに接続される第二携帯機器へのデータ通信及び電気供給をするためのケーブルと、
前記第一携帯機器用コネクタ、前記第二携帯機器用コネクタ及び前記ケーブルのうちのいずれかの部分に設けられ、前記第一携帯機器から前記第二携帯機器へのデータ通信をオン／オフするスイッチと、
を具備すること、
を特徴とする充電ケーブル。
【請求項２】
前記第一携帯機器用コネクタ及び前記第二携帯機器用コネクタのうちの少なくとも一方がライトニングコネクタであること、
を特徴とする請求項１に記載の充電ケーブル。
【請求項３】
前記第一携帯機器用コネクタ及び前記第二携帯機器用コネクタのうちの少なくとも一方がＵＳＢコネクタであること、
を特徴とする請求項１又は２に記載の充電ケーブル。
【請求項４】
前記ＵＳＢコネクタがマイクロＵＳＢコネクタであること、
を特徴とする請求項３に記載の充電ケーブル。
【発明の詳細な説明】
【技術分野】
【０００１】
本発明は、例えば携帯電話から他の携帯電話に電気を供給するための携帯機器用充電ケーブルに関する。
【背景技術】
【０００２】
近年、スマートフォンやタブレット等の携帯機器が驚くほどの勢いで普及しているが、これらの携帯機器の電源には内蔵された充電池が用いられているところ、使用頻度が高いことから特に外出先等では電気を使い切ってしまうケースが多々ある。
【０００３】
そこで、携帯機器の使用者は、電源タップから携帯機器内の充電池に電気を補充することのできる充電ケーブルや充電器を、携帯機器とともにカバン等に入れて出掛けるのが一般的である。
【０００４】
例えば、特許文献１（特開２０１２−１９１７４４号公報）には、一台の充電器で認証方式が互いに異なるアップル系と、アップル系以外のスマートフォン系の２種類の携帯電子機器の充電に対応し、ユーザーの利便性を向上させることを目的とした充電器が提案されている。
【先行技術文献】
【特許文献】
【０００５】
【特許文献１】特開２０１２−１９１７４４号公報
【発明の概要】
【発明が解決しようとする課題】
【０００６】
しかしながら、従来の充電ケーブルや上記特許文献１で提案されている充電器は、電源タップがなければ携帯機器内の充電池を充電できないこともあり、また、他の携帯機器と充電ケーブルで接続した場合にはデータも同時に転送されて、プライバシーの観点から問題があった。
【０００７】
そこで、本発明の目的は、第一の携帯機器によって第二の携帯機器内の充電池を充電することができ、かつ、充電時に第一の携帯機器から第二の携帯機器にデータが転送されることをコントロールできる充電ケーブルを提供することにある。
【課題を解決するための手段】
【０００８】
以上のような状況に鑑み、本発明は、
第一携帯機器用コネクタと、
第二携帯機器用コネクタと、
前記第一携帯機器用コネクタと前記第二携帯機器用コネクタとを繋ぎ、前記第一携帯機器用コネクタに接続される第一携帯機器から前記第二携帯機器用コネクタに接続される第二携帯機器へのデータ通信及び電気供給をするためのケーブルと、
前記第一携帯機器用コネクタ、前記第二携帯機器用コネクタ及び前記ケーブルのうちのいずれかの部分に設けられ、前記第一携帯機器から前記第二携帯機器へのデータ通信をオン／オフするスイッチと、
を具備すること、
を特徴とする充電ケーブルを提供する。
【０００９】
上記本発明の充電ケーブルにおいては、前記第一携帯機器用コネクタ及び前記第二携帯機器用コネクタのうちの少なくとも一方がライトニングコネクタであってもよい。なお、ライトニングコネクタは米国アップル社製のｉＰｈｏｎｅ（登録商標）等のスマートフォン等の携帯機器に用いられている。
【００１０】
また、上記本発明の充電ケーブルにおいては、前記第一携帯機器用コネクタ及び前記第二携帯機器用コネクタのうちの少なくとも一方がＵＳＢコネクタであってもよい。ＵＳＢとは、「Ｕｎｉｖｅｒｓａｌ  Ｓｅｒｉａｌ  Ｂｕｓ」の略で、コンピュータ等の情報機器に周辺機器を接続するためのシリアルバス規格の１つである。
【００１１】
また、上記本発明の充電ケーブルにおいては、前記ＵＳＢコネクタがマイクロＵＳＢコネクタであってもよい。マイクロＵＳＢは、Ａｎｄｒｏｉｄを用いたスマートフォン等の携帯機器に用いられている。
【発明の効果】
【００１２】
上記のような構成を有する本発明の充電ケーブルによれば、第一の携帯機器によって第二の携帯機器内の充電池を充電することができ、かつ、充電時に第一の携帯機器から第二の携帯機器にデータが転送されることをコントロール（ＯＮ／ＯＦＦ）できる。
【図面の簡単な説明】
【００１３】
【図１】本発明の充電ケーブルの代表的な実施形態の構成を説明するための概略模式図である。
【発明を実施するための形態】
【００１４】
以下において、図面を参照しながら、本発明の充電ケーブルの代表的な実施形態について説明する。図１は、本発明の充電ケーブルの代表的な実施形態の構成を説明するための概略模式図である。
【００１５】
本実施形態の充電ケーブル１０は、第一携帯機器（スマートフォン）用コネクタ２と、第二携帯機器（スマートフォン）用コネクタ４と、第一携帯機器用コネクタ２及び第二携帯機器用コネクタ４を繋ぐケーブル１と、スイッチ６と、で構成されている。
【００１６】
本実施形態における第一携帯機器Ａ及び第二携帯機器Ｂは、いずれも米国アップル社製のスマートフォンであるｉＰｈｏｎｅ（登録商標）で、第一携帯機器用コネクタ２及び第二携帯機器用コネクタ４は、ライトニングコネクタである。
【００１７】
ケーブル１は、第一携帯機器用コネクタ２に接続される第一携帯機器Ａから第二携帯機器用コネクタ４に接続される第二携帯機器Ｂへのデータ通信及び電気供給をするためのものである。
【００１８】
したがって、本実施形態の充電ケーブル１０を、第一携帯機器用コネクタ２で充電池の残存電気量が多い第一携帯機器Ａに接続し、第二携帯機器用コネクタ４で充電池の残存電気量が少ない第二携帯機器Ｂに接続すると、基本的には、第一携帯機器Ａの電気及びデータが第二携帯機器Ｂに供給及び伝送される。
【００１９】
ここで、スイッチ６は、ケーブル１の中間部分に取り付けられており、第一携帯機器から前記第二携帯機器へのデータ通信をオン／オフするものである。このスイッチ６をＯＮにしておくと、第一携帯機器Ａの電気及びデータがそれぞれ第二携帯機器Ｂに供給及び伝送される。
【００２０】
他方、スイッチ６をＯＦＦにしておくと、データの伝送のみが停止し、第一携帯機器Ａの電気のみが第二携帯機器Ｂに供給され、第一携帯機器Ａの使用者乃至は所有者のプライバシーを保護することができる。
【００２１】
以上の構成を有する本実施形態の充電ケーブル１０によれば、第一の携帯機器Ａによって第二の携帯機器Ｂ内の充電池を充電することができ、かつ、充電時に第一の携帯機器Ａから第二の携帯機器Ｂにデータが転送されることをコントロール（ＯＮ／ＯＦＦ）できる。
【００２２】
ただし、本発明は上記実施形態に限定されるものではなく、種々の設計変更が可能であり、かかる設計変更後の態様も本発明の技術的範囲に含まれる。図１においては、スイッチ６がケーブル１の中間に設けられているが中央でなくてもよく、また、スイッチ６は第一携帯機器用コネクタ２や第二携帯機器用コネクタ４に設けられていてもよい。
【００２３】
また、上記実施形態においては、第一携帯機器用コネクタ２や第二携帯機器用コネクタ４をライトニングコネクタとしたが、少なくともいずれか一方がマイクロＵＳＢやＵＳＢであってもよい。また、マイクロＵＳＢやＵＳＢのアタッチメントを接続して、種々の携帯機器や規格に合うようにしてもよい。
【符号の説明】
【００２４】
１・・・ケーブル、
２・・・第一携帯機器用コネクタ、
４・・・第二携帯機器用コネクタ、
６・・・スイッチ、
１０・・・充電ケーブル、
Ａ・・・第一携帯機器、
Ｂ・・・第二携帯機器。
【図１】
2016163479.tif 000003